【事件の表示】
　平成　８年特許願第　９６４３６号「情報配信システムおよび情報出力システム」拒絶査定に対する審判事件［平成　９年１０月３１日出願公開、特開平　９−２８２３７７］について、次のとおり審決する。
【結　論】
　本件審判の請求は、成り立たない。
【理　由】
１．手続の経緯及び本願発明
　
　本件審判請求に係る出願は、平成８年４月１８日付けの出願であって、その請求項１に係る発明は、平成１０年４月１３日付け手続補正書によって補正された明細書と図面の記載からみて、特許請求の範囲の請求項１に記載された次のとおりのものである（以下「本願発明」という。）。
　なお、平成１２年９月１１日付け手続補正書でなされた手続補正は、本審決と同日付けで、決定をもって却下された。
　
「局と、複数の店頭との間で情報を配信する情報配信システムであって、
　前記局は、動画、静止画、音声、文字等の情報と、番組制御プログラムとを定期的に店頭に送り、
　前記店頭は、前記局から送られる前記動画、静止画、音声、文字等の情報と、前記番組制御プログラムとを保持する保持手段と、前記番組制御プログラムにより制御される前記動画、静止画、音声、文字等の情報を出力する出力手段と、を具備し、前記店頭では、出力手段で出力される内容が、前記番組制御プログラムにより、店頭ごとに個別に制御されることを特徴とする情報配信システム。」
　
２．引用例記載の発明
　
　これに対して、原査定の拒絶の理由において引用された、本願の出願前に国内において頒布された刊行物である特開平７−２７１８６２号公報（以下、引用例という。）には、図面と共に次の事項が記載されている。
　
（ア）「本発明は、商品の陳列棚・・・とは独立して配置する情報表示装置を設けた商品情報表示システムに関する。」（公報段落【０００１】）
（イ）「図１はシステム全体の構成を示すブロック図で、１１は商品名や商品価格等の商品情報、アドレス情報等の一連の情報を管理する中央制御装置としてのストアコントローラである。・・・前記ストアコントローラ１１に・・・複数台の無線送信器１４をそれぞれ有線で接続している。前記無線送信器１４はストアコントローラ１１が管理する一連の情報を電磁波を使用した無線により複数台の中継器１５を介して複数台の情報表示装置１６・・・に送信するようになっている。」（同【００２２】〜【００２５】）
（ウ）「前記ストアコントローラ１１は例えば本店等の外部から送信される商品コード、商品名、単価等の商品情報を受信する手段や受信した商品情報を多数記憶する商品情報ファイル、また各ＥＣＲ１３の登録情報を集計する集計ファイル等を設けている。」（同【００２９】）
（エ）「このような構成の実施例においては、ストアコントローラ１１は各種商品の商品コード、単価、販売価格等の商品情報に棚札表示器１７を指定する送信先アドレスデータを付した情報を外部操作による入力あるいは本店等に設置したホストコンピュータから受信して商品情報ファイルに格納する。」（同【００４９】）
（オ）「ストアコントローラ１１は図６の(a) に示すように、特売する商品の商品名や価格等の宣伝するための商品情報Ａをその商品を販売している陳列棚の近傍に配置されている情報表示装置１６を指定する送信先アドレスデータを付して送信する。これにより特売する商品の近傍に配置されている情報表示装置１６は送信器１４から直接・・・・商品情報Ａを受信し商品情報記憶部２８に格納する。また、この情報表示装置１６はＩＣカードに記憶されている画像情報Ｂを情報入力装置２９によって読込み、入力情報記憶部３０に格納する。こうして情報表示装置１６は商品情報記憶部２８に記憶されている商品情報Ａと入力情報記憶部３０に記憶されている画像情報Ｂを編集し、表示部２０にその合成情報を表示する。」（同【００５４】〜【００５７】）
（カ）「なお、情報表示装置１６の表示部２０に表示される情報を、スクロール、回転、点滅、変色等のアクションを持って変化させることが可能であり、このようにすればさらにアピール性を向上できる。この場合の変化の動作手順は予め設定しておいても、またその都度操作部３１からの指示や外部からの情報入力により設定してもよい。」（同【００５９】〜【００６０】）
　
　また、同【０００２】〜【００１２】の従来技術及び発明が解決しようとする課題の記載からみて、引用例に記載の商品情報表示システムは、スーパーマーケット等の店頭や売り場の所定の位置に配置したＰＯＰ表示装置を管理するストアコントローラに関する従来技術の課題を解決することを目的としたものであり、そのストアコントローラは本店等に設置したホストコンピュータから商品情報を受信することから、該ストアコントローラは複数の店頭に設置されるものであることは明らかである。
　
　よって、上記の記載からみて、引用例には、
「本店等に設置したホストコンピュータと複数の店頭に設置したストアコントローラからなる商品情報表示システムであって、
　前記本店等に設置したホストコンピュータは、各種商品の商品コード、単価、販売価格等の商品情報を複数の店頭に設置したストアコントローラに送信し、
　前記複数の店頭に設置したストアコントローラは、本店等に設置したホストコンピュータから送信される前記商品情報を格納する商品情報ファイルと、前記商品情報を表示する情報表示装置とを具備し、
　前記複数の店頭に設置したストアコントローラは、本店等に設置したホストコンピュータから送信される前記商品情報を受信し、前記商品情報を前記情報表示装置に表示する商品情報表示システム」
（以下、「引用例記載の発明」という。）が記載されていると認められる。
　
　
３．本願発明と引用例記載の発明との対比
　
　本願発明（前者）と引用例記載の発明（後者）とを対比する。
　
　後者の「商品情報」、「情報表示装置」は、それぞれ前者の「情報」、「出力手段」に相当する。
　また、後者の「店頭」は、商品情報を保持する保持手段、商品情報を出力する出力手段を具備して、受信した商品情報を出力手段によって出力するように制御し、後者の「本店等」は、複数の店頭に商品情報を送信するものであるから、後者の「店頭」、「本店等」、「商品情報表示システム」は、それぞれ前者の「局」、「店頭」、「情報配信システム」に相当する。
　そして、後者の「商品情報ファイル」は、商品情報を保持する機能を有するものであるから、前者の「保持手段」に相当する。
　よって、両者の一致点、相違点は次のとおりである。
　
［一致点］
「局と、複数の店頭との間で情報を配信する情報配信システムであって、
　前記局は、動画、静止画、音声、文字等の情報を店頭に送り、
　前記店頭は、前記局から送られる前記動画、静止画、音声、文字等の情報を保持する保持手段と、前記動画、静止画、音声、文字等の情報を出力する出力手段と、を具備し、前記店頭では、出力手段で出力される内容が制御されることを特徴とする情報配信システム。」
　
［相違点］
（１）前者は、局が番組制御プログラムを各店頭に送り、各店頭は局から送られる前記番組制御プログラムを保持手段に保持し、情報が前記番組制御プログラムにより店頭ごとに個別に制御される構成を有するのに対して、後者はそのような構成を有していない点。
　
（２）本願発明の情報は、動画、静止画、音声、文字等であるのに対して、後者の商品情報は動画、静止画、音声、文字等であるか否か記載されていない点。
　
（３）本願発明は、局と店頭との間での情報の配信は定期的であるのに対して、後者は情報の配信については記載されていない点。
　
４．当審の判断
　
　上記相違点について検討する。
（１）上記引用例には、情報表示装置の商品情報の表示を変化させることで、商品のアピール性を向上できることも記載されており（上記２．（カ））、情報表示装置の表示の変化を制御プログラム（即ち、番組制御プログラム）で行うことはよく行われていることであるから、後者において、番組制御プログラムを採用することは当業者が容易に想到し得たことである。また、局と複数の店頭からなるシステムにおいて、局から各店頭に制御プログラムを送信して記憶し、各店頭は該制御プログラムにより制御されるようにした構成は、本願出願前に周知（必要ならば例えば、特開平５−３０３５３３号公報等参照）であり、後者とこの周知の構成は、局と複数の店頭からなるシステムという点において共通しているから、後者にこの周知の構成を採用することは当業者が容易に為し得たことと認める。
　よって、後者及び周知の技術手段から前者の構成のようにすることは、当業者が容易に推考できたものと認める。
　
（２）商品のアピール性を向上させるために、商品情報を動画、静止画、音声、文字等の情報で構成することは、通常行われていることであるから、後者において、情報表示装置に出力させる商品情報を動画、静止画、音声、文字等とすることは当業者が容易に為し得ることと認める。
　
（３）局と店頭の間での情報のやり取りは、週・月単位やキャンペーン期間単位等の所定の期間に基づいて行われており、後者において局と店頭の間での情報の配信を定期的にすることは、必要に応じて当業者が為し得るものと認める。
　
　そして、前者の効果は、後者及び周知の技術手段の効果から予測できる程度のものであり、格別のものとは認められない。
　
５．むすび
　
　したがって、本願発明は、引用例記載の発明及び周知の技術手段に基づいて、当業者が容易に発明をすることができたものであるから、特許法第２９条第２項の規定により特許を受けることができない。
　
　よって、結論のとおり審決する。